(57)【特許請求の範囲】
【請求項１】
それぞれ情報面を有し、少なくとも一方が２以上の情報面を積層して形成した第１および第２の基板が、上記情報面を内側にして透明樹脂層を介在させて対向合致させてなることを特徴とする光学記録媒体。
【請求項２】
上記第１および第２の基板がそれぞれ情報面とともに形成された射出成型基板によることを特徴とする請求項１に記載の光学記録媒体。
【請求項３】
上記第１の基板の情報面に半透明膜が形成され、
上記第２の基板の情報面に反射膜が形成されたことを特徴とする請求項１に記載の光学記録媒体。
【発明の詳細な説明】
【０００１】
【発明の属する技術分野】
本発明は、光学記録媒体、特に各種情報が記録される情報面が、複数重ね合わされて形成された光学記録媒体に係わる。
【０００２】
【従来の技術】
オーディオ用、ビデオ用そのほかの各種情報を記録する光学記録媒体として、その記録もしくは（および）再生を光照射によって行う光ディスク、光カード、光磁気ディスク、相変化光学記録媒体等のＲＯＭ（Rread Only Memory)型、追記型、書換え型等の光学記録媒体において、情報記録の大容量化の要求から、その各種情報が記録される情報面が２層以上重ねて形成された多層光学記録媒体の実用化の開発が著しい。
【０００３】
図９は、透明の基板１上に、第１および第２の情報面１１および１２が透明中間膜３３を介して積層されてなる２層構造の光学記録媒体の概略断面図を示す。
【０００４】
各情報面１１および１２は、それぞれ例えばＲＯＭ型においては、データ情報の記録がなされる位相ピット、アドレス、トラッキング用等のプリグルーブ等の微細凹凸が、また追記型、書き換え型等に等いてもプリグルーブ等の微細凹凸が形成される。
【０００５】
第１の情報面１１は、例えばこの第１の情報面を構成する第１の微細凹凸２１が、厚さ例えば１．２ｍｍの比較的肉厚に形成される透明基板１に形成される。この微細凹凸２１が形成された透明基板１は、例えばポリカーボネート等の透明樹脂を用いた射出成形によって形成され、これに例えばＳｉＮより成る半透明膜１３が被覆されて第１の情報面１１が構成される。
【０００６】
第２の情報面１２は、いわゆる２Ｐ法（Photopolymerization 法) によって形成される。すなわち、第１の情報面１１上に光硬化性樹脂が塗布され、これに第２の情報面１２を構成する第２の微細凹凸２２を転写形成する微細凹凸が形成されたスタンパーを押圧し、基板１側から光硬化性樹脂に光照射を行ってこれを露光硬化することによって形成する。そしてこの第２の微細凹凸２２にＡｌ蒸着膜等による反射膜１４を形成して第２の情報面１２を形成する。
【０００７】
そして、この第２の情報面１２上に、光硬化性樹脂等よりなる保護膜６が形成される。
【０００８】
この光学記録媒体に対する第１の情報面１１と第２の情報面１２とからの情報の読み出しは、ドライブ装置の簡略化をはかることができるように、また第１および第２の情報面１１および１２に対し連続的にその記録ないしは読み出しを行うことができるように、１組の光学ヘッドによって光学記録媒体の同一側すなわち透明基板１側からの光照射によって行う。すなわち、第１および第２の情報面１１および１２に対する記録ないしは読み出しは、光学ヘッドからの照射光Ｌを、図９で実線で示すように、第１の情報面１１にフォーカシングさせて、その記録、再生を行い、第２の情報面１２に対しては、光学ヘッドからの照射光Ｌを、図９で破線で示すように、第１の情報面１１にフォーカシングさせて、その記録、再生を行う。この方法による場合、その読み出しないしは再生において、各情報面１１および１２間に干渉が生じることがないようにするには、これら情報面間の透明中間膜３３の厚さを、３０〜６０μｍの例えば４０μｍ程度の大なる厚さに選定される。
【０００９】
【発明が解決しようとする課題】
上述の図９で示したような構成による複数の情報面が重ね合わされて構成された多層光学記録媒体は、基板１の一方の面に複数の情報面が、集中して積層された構成を有することから、厚さ方向に対称性がない構成となる。したがって、この構成による多層光学記録媒体は、外囲温度の変化や、外部からの不均一な圧力等によって撓み等の変形が生じ易いという問題がある。
【００１０】
このような問題を解決する構成として、２枚の基板間に情報面を形成する構造による光学記録媒体の提案もなされている。この光学記録媒体においては、両基板の共働によって一方の情報面を形成する構成とするものであって、したがって３層以上の情報面による多層光学記録媒体を構成することができないという問題がある。
【００１１】
本発明においては、変形が生じにくく、また３層以上の情報面の形成を可能にした光学記録媒体を提供する。
【００１２】
【課題を解決するための手段】
本発明による光学記録媒体は、それぞれ情報面を有し、少なくとも一方が２以上の情報面を積層して形成した第１および第２の基板が、上記情報面を内側にして透明樹脂層を介在させて対向合致させた構成とする。
【００１３】
上述の本発明構成によれば、第１および第２の基板間に複数の情報面が挟み込まれた構成を有することから、効果的に撓み等の変形の発生を回避できるものである。
【００１４】
【発明の実施の形態】
本発明の具体的な実施形態を説明する。
以下の説明は主として、それぞれ例えばデータ情報の記録ピットやトラッキング用のプリグルーブ等の微細凹凸が形成された第１、第２および第３の３層の情報面が積層されたＲＯＭ型の光ディスクに適用する場合であるが、本発明は、このような光ディスクに限られるものではなく、例えば光磁気ディスク、相変化光ディスク、そのほかカード状、シート状等の微細凹凸を有する多層の情報面が透明中間膜を介して積層された各種光学記録媒体に適用できることはいうまでもない。
【００１５】
図１は、本発明による光学記録媒体この例では光ディスクの一例の概略断面図を示す。この例では、第１の基板４１が、この光ディスクに対する例えば再生光、さらに製造過程での光硬化性樹脂に対する照射光に対し高い透過率を示す透明基板よりなり、これにそれぞれ、半透明の第１および第２の情報面３１および３２が積層形成され、一方第２の基板４２に反射膜４３が形成された第３の情報面３３が形成されて両基板４１および４２が、各情報面３１〜３３を内側にして透明樹脂層８２を介在させて対向合致させた構成とする。
【００１６】
第１および第２の基板４１および４２は、互いにできるだけその厚さ、材料、形状等が一致する機械的に同等の特性を示す基板として形成する。
【００１７】
本発明の理解を容易にするために、図２〜図８を参照して上述の図１で示した光ディスクを得る製造方法の一例を説明する。
【００１８】
図２に示すように、一主面に第１の情報面を形成する記録ピットやトラッキング用のグルーブ等の第１の微細凹凸５１を有する第１の基板４１を用意する。この第１の基板４１は、第１の微細凹凸５１を転写形成することのできる第１のスタンパーが配置された射出成型金型（図示せず）を用いて、透明樹脂の例えばポリカーボネイト樹脂を射出成型することによって得ることができる。
【００１９】
図３に示すように、この第１の微細凹凸５１に、第１の半透明膜６１を、例えばＳｉＮ膜を厚さ２０〜３０ｎｍ程度にスパッタリングして被着形成し、その反射率Ｒ1 を例えば２０％前後に形成して第１の情報面３１を形成する。
【００２０】
この第１の情報面３１上に、図１で示した第２の情報面３２を形成する。この第２の情報面３２の形成は、例えば図４に示すように、最終的に透明樹脂層となる光硬化性樹脂４５例えば紫外線硬化樹脂の大日本合成ゴム社性Ｒ６０２１（商品名）を滴下し、図５に示すように、第２の情報面を形成する記録ピットやトラッキング用のグルーブ等の第２の微細凹凸を転写形成する第２のスタンパー７２を押圧し、基板４１側から紫外線（ＵＶ）照射を行って光硬化性樹脂４５を硬化して第１の透明樹脂層８１を形成し、スタンパー７２から基板４１を透明樹脂８１と共に剥離する。このようにすると第１の透明樹脂層８１の表面に第２の情報面を形成する第２の微細凹凸５２が形成される。
【００２１】
上述した例では、基板４１上に光硬化性樹脂４５を滴下塗布した場合であるが、スタンパー７２側に光硬化性樹脂４５を滴下塗布し、これに第１の基板４１を、その第１の情報面３１が形成された側を圧着合致させて、光硬化樹脂層４５に第２の微細凹凸５２を形成し、同様に基板４１側から例えば紫外線照射を行って光硬化樹脂層４５を硬化しかつ第２の微細凹凸５２が形成された第１の透明樹脂層８１を形成し、これをスタンパー７２から基板４１と共に剥離するようにすることもできる。
【００２２】
次に、図６に示すように、第２の微細凹凸５２上に、例えばＳｉＮ膜による第２の半透明膜６２をスパッタリング等によって被着してその反射率Ｒ2 を例えば３０〜３５％に選定して第２の情報面３２を形成する。
【００２３】
一方、図７に示すように、第３の情報面を形成する第３の微細凹凸５３を有する第２の基板４２を用意する。この第２の基板４２も例えば第３の微細凹凸５３を転写形成することのできる第３のスタンパーが配置された射出成型金型を用いて、例えばポリカーボネイト樹脂を射出成型することによって得ることができる。
【００２４】
図８に示すように、この第３の微細凹凸５３上に、例えばＡｌのスパッタリング膜による高い反射率を有する例えば厚さ５０ｎｍの反射膜４３を形成して第３の情報面３３を構成する。
【００２５】
このようにして、図６で示した第１および第２の情報面３１および３２が形成された第１の基板４１と、図８で示した第３の情報面３３が形成された第２の基板４２とを、図１で示すように、各第２および第３の情報面３２および３３を内側にして、両者間に透明樹脂層（以下第２の透明樹脂層という）８２を介して接合合体する。この透明樹脂層８２は、第１および第２の基板４１および４２のいづれか一方の互いに接合される側の第２の情報面３２または（および）第３の情報面３３に、光硬化性樹脂例えば紫外線硬化樹脂を滴下塗布し、この光硬化性樹脂を挟んで両基板４１および４２を合致させて両者を一体回転することによって両基板４１および４２間に光硬化性樹脂を一様の厚さに展延塗布し、その第１の基板４１側から例えば紫外線照射を行って光硬化性樹脂を硬化することによって第２の透明樹脂層８２を、第２および第３の情報面３２および３３間に介在させ両者の間隔を所要の間隔に保持するとともに両基板４１および４２を機械的に一体化して図１に示す目的とする本発明による光学記録媒体、この例では第１〜第３の情報面３１〜３３が重ね合わされて形成された光ディスクが形成される。
【００２６】
この構成による光ディスクの、第１および第２の情報面３１および３２の間隔と、第２および第３の情報面３２および３３の間隔は、それぞれ第１および第２の透明樹脂層８１および８２の厚さを選定して、それぞれ２０〜６０μｍ例えば４０μｍとする。
【００２７】
このようにして、第１および第２の基板４１および４２間に第１、第２および第３の情報面３１、３１および３３が積層されて形成された光ディスクが構成されるものであり、この構成による光学記録媒体、この例では光ディスクは、第１および第２の基板４１および４２間に複数の情報面３１〜３３が挟み込まれた構成とされていることから、その厚さ方向に関する構成が機械的に対称性を有することから効果的に撓み等の変形の発生を回避できるものである。
【００２８】
そして、この光ディスクの各情報面３１、３２および３３に対する情報の読み出しは、第１の基板４１側から再生光、例えばレーザ光Ｌを、情報面３１に関する再生においては、情報面３１にフォーカシングさせて行い、情報面３２に関する再生においては、情報面３２にフォーカシングさせて行い、情報面３３に関する再生においては、情報面３３にフォーカシングさせて行う。
【００２９】
この場合、第１および第２の情報面３１および３２は半透明に形成されていることから、同一側からの読み出しが可能となる。いま、光ディスクに対する読み出し光（再生光）に対し、例えば第１の情報面３１の反射率をＲ1 ＝２１％とし、第２の情報面の反射率＝３４とし、反射膜４３の反射率を８０％とするとし、第１の基板４１、第１および第２の透明樹脂層８１および８２の光吸収等を無視すると、第１の情報面３１からの戻り光量は、２１％となり、第２の情報面３２からの戻り光量は、（１−０．２１）×０．３４×（１−０．２１）＝０．２１となり、第３の情報面３３からの戻り光量は、
（１−０．２１）×（１−０．３４）×０．８×（１−０．２１）＝０．２２となり、各第１〜３の情報面からの戻り光量、すなわち再生出力をほぼ等しくすることができる。
【００３０】
尚、上述の例では、第１および第２の基板４１および４２を、第１および第３の情報面３１および３３とともに、それぞれ射出成型によって形成した場合であるが、各情報面３１および３３を２Ｐ法等によって形成することもできるなど上述した製造方法に限られるものではなく、種々の変形変更を行うことができる。
【００３１】
また、上述した例においては、第１の基板４１に、予め第１および第２の情報面３１および３２を形成し、第２の基板４２に、予め第３の情報面３３を形成し、両者を合体させた場合であるが、例えば第２の情報面上に、これの形成方法と同様の方法すなわちいわゆる２Ｐ法（Photopolymerization 法) を繰り返すことによって３層以上の情報面を積層形成することもできるし、第２の基板の上述情報面３３上に、予めさらに例えば２Ｐ法によって他の情報面を積層敬することもでき、このようにすることによって４層以上の情報面を有する光学ディスクを構成することもできる。
【００３２】
このように、例えば４層以上の情報面を形成する場合においても、一方の基板４１側から、各情報面にたいする読み出しを行う場合、その読み出し光量すなわち戻り光量をほぼ一定にすることができる。すなわち、いま情報面の層数をｎとし、各面における反射率をＲ1 〜Ｒn とするとき、下記（数１）を満たすように選定する。
【００３３】
【数１】
0003671484.tif 000002
【００３４】
また、上述の例では、光ディスクすなわちＲＯＭ型の光学記録媒体を構成した場合であるが、トラッキング、あるいはアドレス用グルーブ等を有する微細凹凸が形成される書き換え、追記等が可能な、また記録および再生が可能な光磁気記録層、相変化記録層等よりなる情報面を有する光学記録媒体に、本発明を適用することができる。
【００３５】
【発明の効果】
上述したように、本発明構成によれば、第１および第２の基板間に、複数の情報面が挟み込まれて積層されて形成された構成とされていることから、その厚さ方向に関する構成が機械的にほぼ対称性を有することから効果的に撓み等の変形の発生を回避できるものである。
【００３６】
また、本発明構成によれば、両基板４１および４２間に３層以上の必要な層数の情報面を形成することができる。
【図面の簡単な説明】
【図１】本発明による光学記録媒体の一例の概略断面図である。
【図２】本発明による光学記録媒体の一例の製造方法の一例を示す一工程における概略断面図である。
【図３】本発明による光学記録媒体の一例の製造方法の一例を示す一工程における概略断面図である。
【図４】本発明による光学記録媒体の一例の製造方法の一例を示す一工程における概略断面図である。
【図５】本発明による光学記録媒体の一例の製造方法の一例を示す一工程における概略断面図である。
【図６】本発明による光学記録媒体の一例の製造方法の一例を示す一工程における概略断面図である。
【図７】本発明による光学記録媒体の一例の製造方法の一例を示す一工程における概略断面図である。
【図８】本発明による光学記録媒体の一例の製造方法の一例を示す一工程における概略断面図である。
【図９】従来の光学記録媒体の概略断面図である。
【符号の説明】
３１  第１の情報面
３２  第２の情報面
３３  第３の情報面
４１  第１の基板
４２  第２の基板
４３  反射膜
５１  第１の微細凹凸
５２  第２の微細凹凸
５３  第３の微細凹凸
６１  第１の半透明膜
６２  第２の半透明膜
８１  第１の透明樹脂層
８２  第２の透明樹脂層
【図１】
0003671484.tif 000003
【図２】
0003671484.tif 000004
【図３】
0003671484.tif 000005
【図４】
0003671484.tif 000006
【図５】
0003671484.tif 000007
【図６】
0003671484.tif 000008
【図７】
0003671484.tif 000009
【図８】
0003671484.tif 000010
【図９】
0003671484.tif 000011